(57)【要約】【課題】本発明は、正規の端末識別子とは異なる端末識別子を含む測位要求を実行した移動端末装置に対して基地局の緯度経度情報が漏洩するのを防止できる位置情報管理装置、それを備えた通信システム、位置情報管理装置の通信用プログラム、位置情報管理装置の通信方法を提供することを目的とする。【解決手段】位置情報管理装置は、移動端末装置２３の端末識別子及びセル識別子を含む測位要求を取得する測位要求取得部７ａと、測位要求に含まれる端末識別子と同一の端末識別子の移動端末装置が在圏する在圏セルのセル情報を取得するセル情報取得部５ｂと、当該セル情報と、測位要求に含まれるセル識別子に基づくセル情報との差分が閾値を越えているか否かを判定する情報差分判定部５ｃと、当該差分が当該閾値を越えていないと判定されたらアシストデータを送信する位置情報送信部７ｃとを有している。【選択図】図２
2014086823.tif 000002
【特許請求の範囲】
【請求項１】
移動端末装置との間でデータを送受信する基地局の位置情報を管理する位置情報管理装置であって、
移動端末装置からユーザプレーンで送信され、前記移動端末装置の端末識別子及びセル識別子を含む測位要求を取得する測位要求取得部と、
前記測位要求取得部が前記測位要求を取得したことに基づいて、移動端末装置の端末識別子と対応付けられた加入者情報を記憶する加入者情報記憶部を参照し、前記測位要求に含まれる前記端末識別子と同一の端末識別子に対応付けられた加入者情報を取得する加入者情報取得部と、
前記測位要求に含まれる前記端末識別子と同一の端末識別子の移動端末装置が在圏する在圏セルのセル情報を中継装置から取得するセル情報取得部と、
前記セル情報と、前記測位要求に含まれる前記セル識別子に基づくセル情報との差分が閾値を越えているか否かを判定する情報差分判定部と、
前記測位要求を実行した前記移動端末装置に対し、前記情報差分判定部が、前記差分が前記閾値を越えていると判定した場合、測位に用いるアシストデータを送信せず、前記情報差分判定部が、前記差分が前記閾値を越えていないと判定した場合、前記アシストデータを送信する位置情報送信部と
を有することを特徴とする位置情報管理装置。
【請求項２】
前記測位要求に含まれる前記セル識別子に基づく前記セル情報には、前記測位要求に含まれる前記セル識別子自体が含まれており、
前記情報差分判定部は、前記在圏セルの前記セル情報に含まれるセル識別子と、前記セル識別子自体とが同一か否かを判定すること
を特徴とする請求項１記載の位置情報管理装置。
【請求項３】
前記セル情報取得部と、前記加入者情報取得部と、前記情報差分判定部とを有するＧＭＬＣと、
前記測位要求取得部と、前記位置情報送信部とを有するＳＬＰと
を有することを特徴とする請求項１又は２に記載の位置情報管理装置。
【請求項４】
基地局のセル識別子及び緯度経度情報を対応付けて記憶する基地局情報記憶部をさらに有し、
前記測位要求に含まれる前記セル識別子に基づく前記セル情報には、前記基地局情報記憶部に記憶された前記緯度経度情報が含まれ、前記在圏セルの前記セル情報には、前記中継装置に記憶された、前記在圏セルを収容する基地局の緯度経度情報が含まれており、
前記情報差分判定部は、前記中継装置から取得され、前記在圏セルを収容する前記基地局の緯度経度情報と、前記基地局情報記憶部から取得され、前記測位要求に含まれる前記セル識別子と同一のセル識別子に対応付けられた緯度経度情報との差分を判定すること
を特徴とする請求項１記載の位置情報管理装置。
【請求項５】
前記セル情報取得部と、前記加入者情報取得部とを有するＧＭＬＣと、
前記情報差分判定部と、前記測位要求取得部と、位置情報送信部とを有するＳＬＰと
を有することを特徴とする請求項１又は４に記載の位置情報管理装置。
【請求項６】
前記測位要求に含まれる前記端末識別子と同一の端末識別子に対応付けられた加入者情報が前記加入者情報記憶部に記憶されていない場合には、前記位置情報送信部は、前記測位要求を実行した前記移動端末装置に対して前記アシストデータを送信しないこと
を特徴とする請求項１から５までのいずれか一項に記載の位置情報管理装置。
【請求項７】
移動端末装置との間でデータを送受信する基地局の位置情報を管理する位置情報管理装置と、加入者情報を記憶し、前記位置情報管理装置との間で前記加入者情報を送受信する加入者情報記憶部とを有する通信システムであって、
前記位置情報管理装置は、請求項１から６までのいずれか一項に記載の位置情報管理装置であること
を特徴とする通信システム。
【請求項８】
移動端末装置との間でデータを送受信する基地局の位置情報を管理する位置情報管理装置の通信用プログラムであって、
コンピュータを、
移動端末装置からユーザプレーンで送信され、前記移動端末装置の端末識別子及びセル識別子を含む測位要求を取得する測位要求取得部、
前記測位要求取得部が前記測位要求を取得したことに基づいて、移動端末装置の端末識別子と対応付けられた加入者情報を記憶する加入者情報記憶部を参照し、前記測位要求に含まれる前記端末識別子と同一の端末識別子に対応付けられた加入者情報を取得する加入者情報取得部、
前記測位要求に含まれる前記端末識別子と同一の端末識別子の移動端末装置が在圏する在圏セルのセル情報を中継装置から取得するセル情報取得部、
前記セル情報と、前記測位要求に含まれる前記セル識別子に基づくセル情報との差分が閾値を越えているか否かを判定する情報差分判定部、及び
前記測位要求を実行した前記移動端末装置に対し、前記情報差分判定部が、前記差分が前記閾値を越えていると判定した場合、測位に用いるアシストデータを送信せず、前記情報差分判定部が、前記差分が前記閾値を越えていないと判定した場合、前記アシストデータを送信する位置情報送信部として機能させること
を特徴とする位置情報管理装置の通信用プログラム。
【請求項９】
移動端末装置との間でデータを送受信する基地局の位置情報を管理する位置情報管理装置の通信方法であって、
移動端末装置からユーザプレーンで送信され、前記移動端末装置の端末識別子及びセル識別子を含む測位要求を取得し、
前記測位要求を取得したことに基づいて、移動端末装置の端末識別子と対応付けられた加入者情報を記憶する加入者情報記憶部を参照し、前記測位要求に含まれる前記端末識別子と同一の端末識別子に対応付けられた加入者情報を取得し、
前記測位要求に含まれる前記端末識別子と同一の端末識別子の移動端末装置が在圏する在圏セルのセル情報を中継装置から取得し、
前記セル情報と、前記測位要求に含まれる前記セル識別子に基づくセル情報との差分が閾値を越えているか否かを判定し、
前記測位要求を実行した前記移動端末装置に対し、前記差分が前記閾値を越えていると判定されたら測位に用いるアシストデータを送信せず、前記差分が前記閾値を越えていないと判定されたら前記アシストデータを送信すること
を特徴とする位置情報管理装置の通信方法。
【発明の詳細な説明】
【技術分野】
【０００１】
本発明は、移動端末装置との間でデータを送受信する基地局の位置情報を管理する位置情報管理装置、それを備えた通信システム、位置情報管理装置の通信用プログラム、位置情報管理装置の通信方法に関する。
【背景技術】
【０００２】
特許文献１及び２には、通信端末による測位演算の際にアシストデータとして位置情報を当該通信端末に送信する構成の位置測位に関する装置及び方法が開示されている。また、ＯＭＡ（Ｏｐｅｎ  Ｍｏｂｉｌｅ  Ａｌｌｉａｎｃｅ）で規定されているＳＵＰＬ（Ｓｅｃｕｒｅ  Ｕｓｅｒ  Ｐｌａｎｅ  Ｌｏｃａｔｉｏｎ  ）では、測位要求してきた移動端末装置の端末識別子が正規の識別子と異なっている場合に、当該移動端末装置に対して誤ったアシストデータを送信するのを防止するために、ＩＰ（Ｉｎｔｅｒｎｅｔ  Ｐｒｏｔｏｃｏｌ）認証装置であるＲＡＤＩＵＳ（Ｒｅｍｏｔｅ  Ａｕｔｈｅｎｔｉｃａｔｉｏｎ  Ｄｉａｌ  Ｉｎ  Ｕｓｅｒ  Ｓｅｒｖｉｃｅ  ）サーバを用いたＭＳＩＳＤＮ認証が行われている。  
【先行技術文献】
【特許文献】
【０００３】
【特許文献１】特開２０１２−１８１２３号公報
【特許文献２】特開２０１０−５３２５０７号公報
【発明の概要】
【発明が解決しようとする課題】
【０００４】
企業直収ユーザなどの企業側に事業者側のＲＡＤＩＵＳサーバが利用されずＲＡＤＩＵＳサーバが備えられている場合には、事業者は、事業者側ネットワーク（以下、ネットワークを「ＮＷ」と略記する場合がある）に対してＳＵＰＬ測位要求を実行した移動端末装置の認証処理を実行できない。また、ＳＵＰＬ測位要求が行われるたびに、事業者がＲＡＤＩＵＳサーバが備えられている企業側に移動端末装置の認証処理を要求することは現実的ではない。このため、ＲＡＤＩＵＳサーバを備えていない事業者は、ＳＵＰＬ測位要求を実行してきた移動端末装置のＭＳＩＳＤＮ認証を行うことができない。このため、事業者は、ＳＵＰＬ測位要求に含まれる端末識別子が正規の識別子であるのか否か、あるいはＳＵＰＬ測位要求に含まれるセル識別子が正規の識別子であるのか否かに関わらず、ＳＵＰＬ測位要求してきた移動端末装置に対して基地局の位置情報である緯度経度情報等のアシストデータを送信することになる。測位要求に正規の識別子が含まれていない場合には、ＳＵＰＬ測位要求してきた移動端末装置に対して誤ったアシストデータが送信されたり、意図的に端末識別子を変更して測位要求してきた移動端末装置に対して事業者が保有している基地局の緯度経度情報が漏洩したりするという問題が生じる。
【０００５】
本発明の目的は、現に在圏しているはずの在圏セルを示す情報とは異なる在圏セルを示す情報を含む測位要求を実行した移動端末装置に対して基地局の緯度経度情報が漏洩するのを防止できる位置情報管理装置、それを備えた通信システム、位置情報管理装置の通信用プログラム、位置情報管理装置の通信方法を提供することにある。
【課題を解決するための手段】
【０００６】
本発明の一態様による位置情報管理装置は、移動端末装置との間でデータを送受信する基地局の位置情報を管理する位置情報管理装置であって、移動端末装置からユーザプレーンで送信され、前記移動端末装置の端末識別子及びセル識別子を含む測位要求を取得する測位要求取得部と、前記測位要求取得部が前記測位要求を取得したことに基づいて、移動端末装置の端末識別子と対応付けられた加入者情報を記憶する加入者情報記憶部を参照し、前記測位要求に含まれる前記端末識別子と同一の端末識別子に対応付けられた加入者情報を取得する加入者情報取得部と、前記測位要求に含まれる前記端末識別子と同一の端末識別子の移動端末装置が在圏する在圏セルのセル情報を中継装置から取得するセル情報取得部と、前記セル情報と、前記測位要求に含まれる前記セル識別子に基づくセル情報との差分が閾値を越えているか否かを判定する情報差分判定部と、前記測位要求を実行した前記移動端末装置に対し、前記情報差分判定部が、前記差分が前記閾値を越えていると判定した場合、測位に用いるアシストデータを送信せず、前記情報差分判定部が、前記差分が前記閾値を越えていないと判定した場合、前記アシストデータを送信する位置情報送信部と、を有することを特徴とする。このような構成によれば、現に在圏しているはずの在圏セルを示す情報とは異なる在圏セルを示す情報を含む測位要求を実行した移動端末装置に対して基地局の緯度経度情報が漏洩するのを防止できる。また、このような構成によれば、正規の端末識別子とは異なる端末識別子を含む測位要求を実行した移動端末装置に対して基地局の緯度経度情報が漏洩するのを防止できる。また、このような構成によれば、自己のネットワークにＲＡＤＩＵＳサーバを有していないためにＭＳＩＳＤＮ認証を実行できない通信事業者であっても、測位要求認証を実行することができるので、基地局の緯度経度情報が漏洩するのを防止できる。
【０００７】
また、前記測位要求に含まれる前記セル識別子に基づく前記セル情報には、前記測位要求に含まれる前記セル識別子自体が含まれており、前記情報差分判定部は、前記在圏セルの前記セル情報に含まれるセル識別子と、前記セル識別子自体とが同一か否かを判定し得る。このような構成によれば、２つのセル識別子を比較するという簡単な方法で基地局の緯度経度情報が漏洩するのを防止できる。
【０００８】
また、位置情報管理装置は、前記セル情報取得部と、前記加入者情報取得部と、前記情報差分判定部とを有するＧＭＬＣと、前記測位要求取得部と、前記位置情報送信部とを有するＳＬＰとを有し得る。このような構成よれば、位置情報管理装置に一般的に用いられているＧＭＬＣやＳＬＰに機能追加するだけで、基地局の緯度経度情報が漏洩するのを防止できる。
【０００９】
また、位置情報管理装置は、基地局のセル識別子及び緯度経度情報を対応付けて記憶する基地局情報記憶部をさらに有し、前記測位要求に含まれる前記セル識別子に基づく前記セル情報には、前記基地局情報記憶部に記憶された前記緯度経度情報が含まれ、前記在圏セルの前記セル情報には、前記中継装置に記憶された、前記在圏セルを収容する基地局の緯度経度情報が含まれており、前記情報差分判定部は、前記中継装置から取得され、前記在圏セルを収容する前記基地局の緯度経度情報と、前記基地局情報記憶部から取得され、前記測位要求に含まれる前記セル識別子と同一のセル識別子に対応付けられた緯度経度情報との差分を判定し得る。このような構成によれば、２つの緯度経度情報を比較するという簡単な方法で基地局の緯度経度情報が漏洩するのを防止できる。
【００１０】
また、位置情報管理装置は、前記セル情報取得部と、前記加入者情報取得部とを有するＧＭＬＣと、前記情報差分判定部と、前記測位要求取得部と、位置情報送信部とを有するＳＬＰとを有し得る。このような構成よれば、位置情報管理装置に一般的に用いられているＧＭＬＣやＳＬＰに機能追加するだけで、基地局の緯度経度情報が漏洩するのを防止できる。
【００１１】
また、前記測位要求に含まれる前記端末識別子と同一の端末識別子に対応付けられた加入者情報が前記加入者情報記憶部に記憶されていない場合には、前記位置情報送信部は、前記測位要求を実行した前記移動端末装置に対して前記アシストデータを送信しないことも可能になる。このような構成によれば、登録認証処理の行われていない不正な移動端末装置に対して、基地局の緯度経度情報が漏洩するのを防止できる。
【００１２】
本発明の一態様による通信システムは、移動端末装置との間でデータを送受信する基地局の位置情報を管理する位置情報管理装置と、加入者情報を記憶し、前記位置情報管理装置との間で前記加入者情報を送受信する加入者情報記憶部とを有する通信システムであって、前記位置情報管理装置は、上記一態様の位置情報管理装置であることを特徴とする。このような構成によれば、現に在圏しているはずの在圏セルを示す情報とは異なる在圏セルを示す情報を含む測位要求を実行した移動端末装置に対して基地局の緯度経度情報が漏洩するのを防止できる。また、このような構成によれば、正規の端末識別子とは異なる端末識別子を含む測位要求を実行した移動端末装置に対して基地局の緯度経度情報が漏洩するのを防止できる。また、このような構成によれば、自己のネットワークにＲＡＤＩＵＳサーバを有していないためにＭＳＩＳＤＮ認証を実行できない通信事業者であっても、測位要求認証を実行することができるので、基地局の緯度経度情報が漏洩するのを防止できる。
【００１３】
本発明の一態様による位置情報管理装置の通信用プログラムは、移動端末装置との間でデータを送受信する基地局の位置情報を管理する位置情報管理装置の通信用プログラムであって、コンピュータを、移動端末装置からユーザプレーンで送信され、前記移動端末装置の端末識別子及びセル識別子を含む測位要求を取得する測位要求取得部、前記測位要求取得部が前記測位要求を取得したことに基づいて、移動端末装置の端末識別子と対応付けられた加入者情報を記憶する加入者情報記憶部を参照し、前記測位要求に含まれる前記端末識別子と同一の端末識別子に対応付けられた加入者情報を取得する加入者情報取得部、前記測位要求に含まれる前記端末識別子と同一の端末識別子の移動端末装置が在圏する在圏セルのセル情報を中継装置から取得するセル情報取得部、前記セル情報と、前記測位要求に含まれる前記セル識別子に基づくセル情報との差分が閾値を越えているか否かを判定する情報差分判定部、及び前記測位要求を実行した前記移動端末装置に対し、前記情報差分判定部が、前記差分が前記閾値を越えていると判定した場合、測位に用いるアシストデータを送信せず、前記情報差分判定部が、前記差分が前記閾値を越えていないと判定した場合、前記アシストデータを送信する位置情報送信部として機能させることを特徴とする。このような構成によれば、現に在圏しているはずの在圏セルを示す情報とは異なる在圏セルを示す情報を含む測位要求を実行した移動端末装置に対して基地局の緯度経度情報が漏洩するのを防止できる。また、このような構成によれば、正規の端末識別子とは異なる端末識別子を含む測位要求を実行した移動端末装置に対して基地局の緯度経度情報が漏洩するのを防止できる。また、このような構成によれば、自己のネットワークにＲＡＤＩＵＳサーバを有していないためにＭＳＩＳＤＮ認証を実行できない通信事業者であっても、測位要求認証を実行することができるので、基地局の緯度経度情報が漏洩するのを防止できる。
【００１４】
本発明の一態様による位置情報管理装置の通信方法は、移動端末装置との間でデータを送受信する基地局の位置情報を管理する位置情報管理装置の通信方法であって、移動端末装置からユーザプレーンで送信され、前記移動端末装置の端末識別子及びセル識別子を含む測位要求を取得し、前記測位要求を取得したことに基づいて、移動端末装置の端末識別子と対応付けられた加入者情報を記憶する加入者情報記憶部を参照し、前記測位要求に含まれる前記端末識別子と同一の端末識別子に対応付けられた加入者情報を取得し、前記測位要求に含まれる前記端末識別子と同一の端末識別子の移動端末装置が在圏する在圏セルのセル情報を中継装置から取得し、前記セル情報と、前記測位要求に含まれる前記セル識別子に基づくセル情報との差分が閾値を越えているか否かを判定し、前記測位要求を実行した前記移動端末装置に対し、前記差分が前記閾値を越えていると判定された場合測位に用いるアシストデータを送信せず、前記差分が前記閾値を越えていないと判定された場合前記アシストデータを送信することを特徴とする。このような構成によれば、現に在圏しているはずの在圏セルを示す情報とは異なる在圏セルを示す情報を含む測位要求を実行した移動端末装置に対して基地局の緯度経度情報が漏洩するのを防止できる。また、このような構成によれば、正規の端末識別子とは異なる端末識別子を含む測位要求を実行した移動端末装置に対して基地局の緯度経度情報が漏洩するのを防止できる。また、このような構成によれば、自己のネットワークにＲＡＤＩＵＳサーバを有していないためにＭＳＩＳＤＮ認証を実行できない通信事業者であっても、測位要求認証を実行することができるので、基地局の緯度経度情報が漏洩するのを防止できる。
【発明の効果】
【００１５】
本発明によれば、現に在圏しているはずの在圏セルを示す情報とは異なる在圏セルを示す情報を含む測位要求を実行した移動端末装置に対して基地局の緯度経度情報が漏洩するのを防止できる。
【図面の簡単な説明】
【００１６】
【図１】本発明の第１の実施の形態による通信システム１の概略構成を示すブロック図である。
【図２】本発明の第１の実施の形態による位置情報管理装置３の概略構成を示すブロック図である。
【図３】本発明の第１の実施の形態による位置情報管理装置３に備えられた基地局情報ＤＢ装置９に記憶されたデータベースの一例を示す図である。
【図４】従来の通信システムの問題点を説明する図（その１）である。
【図５】従来の通信システムの問題点を説明する図（その２）である。
【図６】従来の通信システムの問題点を説明する図（その３）である。
【図７】本発明の第１の実施の形態による位置情報管理装置３及び通信システム１の動作を説明するためのシーケンス図である。
【図８】本発明の第１の実施の形態による位置情報管理装置３における測位要求認証処理の流れを示すフローチャートである。
【図９】本発明の第２の実施の形態による位置情報管理装置５３の概略構成を示すブロック図である。
【図１０】本発明の第２の実施の形態による位置情報管理装置５３及び通信システムの動作を説明するためのシーケンス図である。
【図１１】本発明の第２の実施の形態による位置情報管理装置５３における測位要求認証処理の流れを示すフローチャートである。
【図１２】本発明の第２の実施の形態の変形例による位置情報管理装置における測位要求認証処理の流れを示すフローチャートである。
【発明を実施するための形態】
【００１７】
〔第１の実施の形態〕
（通信システム１の概略構成）
本発明の第１の形態による位置情報管理装置、それを備えた通信システム及び位置情報管理装置の通信方法について、図１から図８を用いて説明する。まず、本実施の形態による通信システム１の概略構成について図１を用いて説明する。
【００１８】
図１は、本実施の形態による通信システム１の概略構成を示している。図１に示すように、本実施の形態による通信システム１は、位置情報管理装置３と、位置情報管理装置３に接続された加入者管理サーバ（Ｈｏｍｅ  Ｓｕｂｓｃｒｉｂｅｒ  Ｓｅｒｖｅｒ：ＨＳＳ）１１と、位置情報管理装置３に接続されたｘＧＳＮ（ｓｅｒｖｉｎｇ／ｇａｔｅｗａｙ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅ）１３と、ｘＧＳＮ１３に接続された無線ネットワーク制御装置（Ｒａｄｉｏ  Ｎｅｔｗｏｒｋ  Ｃｏｎｔｒｏｌｌｅｒ：ＲＮＣ）１５と、ＲＮＣ１５に接続された無線基地局（Ｂａｓｅ  Ｔｒａｎｓｃｅｉｖｅｒ  Ｓｔａｔｉｏｎ：ＢＴＳ）１７と、位置情報管理装置３に接続されたＭＭＥ（Ｍｏｂｉｌｉｔｙ  Ｍａｎａｇｅｍｅｎｔ  Ｅｎｔｉｔｙ）１９と、ＭＭＥ１９に接続された無線基地局（ｅＮｏｄｅＢ）２１と、移動端末装置２３とを有している。本実施の形態では、位置情報管理装置３、ＨＳＳ１１、ｘＧＳＮ１３、ＲＮＣ１５、ＢＴＳ１７、ＭＭＥ１９及びｅＮｏｄｅＢ２１を少なくとも含んでネットワークが構成されている。
【００１９】
ＢＴＳ１７は、特定の範囲に対してセル識別子（例えば、セルＩＤ）を送出することにより３Ｇ（第３世代移動通信システム）在圏エリア（在圏セル）Ｅ１を形成するようになっている。図１に示すように、移動端末装置２３が３Ｇ在圏エリアＥ１内にある場合には、ＢＴＳ１７は、移動端末装置２３との間で３Ｇ方式に従った無線通信を行うことができる。移動端末装置２３は、ＢＴＳ１７を介してＢＴＳ１７の上流（上位）に位置しているＲＮＣ１５、ｘＧＳＮ１３及び位置情報管理装置３と通信するようになっている。セル識別子は基地局毎にそれぞれ付与されている。このため、セル識別子を判定することにより、在圏エリアがどの基地局に収容されているのかを区別することができる。
【００２０】
ＲＮＣ１５は、ＢＴＳ１７に対応して設けられており、ＢＴＳ１７が形成する３Ｇ在圏エリアＥ１に在圏している移動端末装置２３の無線通信に関する処理を行う。具体的には、ＲＮＣ１５は、移動端末装置２３の回線接続処理や通話時のハンドオーバー処理等を行う。また、ＲＮＣ１５は、自己に対応付けられたＢＴＳ（本例では、ＢＴＳ１７）のセル識別子と、当該ＢＴＳが収容する在圏セルに在圏している移動端末装置の端末識別子（例えば、携帯電話ＮＷへの加入を一意に識別する番号（ＭＳＩＳＤＮ））とを対応付けて記憶している。図１では、ＲＮＣ１５に接続されたＢＴＳや移動端末装置はそれぞれ１つであるが、ＲＮＣ１５は、複数のＢＴＳを介して複数の移動端末装置を制御することができる。なお、ＲＮＣは、基地局制御装置、無線制御局、等とも呼ばれる場合がある。
【００２１】
ｘＧＳＮ１３は、コアネットワーク装置であり、不図示のＳＧＳＮ（Ｓｅｒｖｉｎｇ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅ）と不図示のＧＧＳＮ（Ｇａｔｅｗａｙ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅ）の統合ノードであり、パケット交換処理を実行する。具体的には、ｘＧＳＮ１３は例えば、移動端末装置２３がウェッブサイトの閲覧や電子メールの送受信等のデータ通信を行うと、移動端末装置２３から送信されるＩＰ（Ｉｎｔｅｒｎｅｔ  Ｐｒｏｔｏｃｏｌ）パケットに対して、ＩＰパケットを別のＩＰパケットで包む、いわゆるカプセリング等の処理を実行する。
【００２２】
ｅＮｏｄｅＢ２１は、特定の範囲に対してセル識別子（例えば、セルＩＤ）を送出することによりＬＴＥ（Ｌｏｎｇ  Ｔｅｒｍ  Ｅｖｏｌｕｔｉｏｎ）在圏エリア（在圏セル）Ｅ２を形成するようになっている。移動端末装置がＬＴＥ在圏エリアＥ２内にある場合には、ｅＮｏｄｅＢ２１は、当該移動端末装置との間でＬＴＥ方式に従った無線通信を行うことができる。移動端末装置は、ｅＮｏｄｅＢ２１を介してｅＮｏｄｅＢ２１の上流（上位）に位置しているＭＭＥ１９及び位置情報管理装置３と通信するようになっている。また、ｅＮｏｄｅＢ２１は、無線アクセス制御機能を有している。このため、ｅＮｏｄｅＢ２１は、ＢＴＳ１７と異なり、ＬＴＥ方式のコアネットワーク装置の一構成であるＭＭＥ１９に直接接続できる。
【００２３】
ＭＭＥ１９は、ＰＣＲＦ（Ｐｏｌｉｃｙ  ａｎｄ  Ｃｈａｒｇｉｎｇ  Ｒｕｌｅｓ  Ｆｕｎｃｔｉｏｎ）、ＰＧＷ（Ｐａｃｋｅｔ  Ｄａｔａ  Ｎｅｔｗｏｒｋ−Ｇａｔｅｗａｙ）及びＳＧＷ（Ｓｅｒｖｉｎｇ−Ｇａｔｅｗａｙ）（いずれも不図示）とともに、コアネットワーク装置を構成している。ＭＭＥ１９は、移動端末装置の移動管理、ＨＳＳ１１から通知される認証情報に基づく移動端末装置の認証（セキュリティ制御）及びＳＧＷとｅＮｏｄｅＢ２１との間におけるユーザデータの転送経路の設定処理などを行うようになっている。
【００２４】
ＨＳＳ１１は、移動端末装置の端末識別子と対応付けられた加入者情報を記憶する加入者情報記憶部（加入者情報データベース）であり、認証情報及び在圏情報の管理を行う。また、ＨＳＳ１１は、位置情報管理装置３からの加入者情報取得要求に対する応答として、指定された端末識別子に対応付けられた、すなわち当該端末識別子を含む加入者情報を位置情報管理装置３に送出するようになっている（詳細は後述）。
【００２５】
位置情報管理装置３は、移動端末装置２３との間でデータを送受信するＢＴＳ１７やｅＮｏｄｅＢ２１の緯度経度情報などの位置情報を管理している。詳細は後述するが、位置情報管理装置３は、移動端末装置２３からの基地局測位要求（以下、単に「測位要求」と称する場合がある）に対して所定条件を満たすと、ＢＴＳ１７やｅＮｏｄｅＢ２１の位置情報を移動端末装置２３に送信するようになっている。位置情報管理装置３は、ＧＭＬＣ（Ｇａｔｅｗａｙ  Ｍｏｂｉｌｅ  Ｌｏｃａｔｉｏｎ  Ｃｅｎｔｅｒ）５と、ＳＬＰ（ＳＵＰＬ（Ｓｅｃｕｒｅ  Ｕｓｅｒ  Ｐｌａｎｅ  Ｌｏｃａｔｉｏｎ）  Ｌｏｃａｔｉｏｎ  Ｐｌａｔｆｏｒｍ）７と、基地局情報データベース（以下、データベースを「ＤＢ」と略記する場合がある）装置９とを有している。ＧＭＬＣ５、ＳＬＰ７及び基地局情報ＤＢ９は、物理的に別の装置としてそれぞれ実現されていてもよいし、位置情報管理装置３の一機能としてそれぞれ実現されていてもよい。
【００２６】
ＧＭＬＣ５は、測位要求を実行した移動端末装置と、当該測位要求に含まれた端末識別子に対応する移動端末装置とが一致するか否かの判定機能を奏するサーバ装置である。
ＳＬＰ７は、測位要求を実行した移動端末装置に対してＳＵＰＬ通信にてアシストデータ等を送信するサーバ装置である。なお、ＳＵＰＬ通信は、ユーザデータを転送するための伝送路であるユーザプレーン（Ｕ−Ｐｌａｎｅ）を利用して移動端末装置と所定の装置間で位置測位信号を送受信する測位方式の通信である。また、アシストデータは、ＧＰＳ（Ｇｌｏｂａｌ  Ｐｏｓｉｔｉｏｎｉｎｇ  Ｓｙｓｔｅｍ）による測位で広く使用されているパラメータの集合であり、本実施の形態では緯度経度や誤差半径に相当する。
基地局情報ＤＢ装置９は、基地局が収容する在圏セルのセル識別子と基地局の緯度経度情報とを対応付けて記憶している基地局情報記憶部に相当する。基地局情報ＤＢ装置９は、これらのデータをデータベース化して記憶している。基地局情報ＤＢ装置９は、ＳＬＰ７の一機能として実現されていてもよい。
【００２７】
（位置情報管理装置３の概略構成）
次に、位置情報管理装置３の具体的な構成について図２及び図３を用いて説明する。図２は、位置情報管理装置３の概略構成を示すブロック図である。図２では理解を容易にするため、位置情報管理装置３に接続されたＨＳＳ１１、ｘＧＳＮ１３、ＲＮＣ１５及び移動端末装置２３が併せて示され、本来接続されているＭＭＥ１９及びｅＮｏｄｅＢ２１の図示は省略されている。
図２に示すように、ＧＭＬＣ５は、加入者情報取得部５ａと、セル情報取得部５ｂと、情報差分判定部５ｃとを有している。加入者情報取得部５ａ、セル情報取得部５ｂ及び情報差分判定部５ｃは、物理的に別の装置としてそれぞれ実現されていてもよいし、ＧＭＬＣ５の一機能としてそれぞれ実現されていてもよい。
【００２８】
加入者情報取得部５ａは、後述する測位要求取得部７ａがユーザプレーンで送信された基地局測位要求を取得したことに基づいて、移動端末装置２３の端末識別子と対応付けられた加入者情報を記憶するＨＳＳ（加入者情報記憶部）１１を参照し、当該測位要求に含まれる端末識別子と同一の端末識別子に対応付けられた加入者情報を取得するようになっている。加入者情報には、端末識別子、国コード、事業者コード（事業者識別子）、ｘＧＳＮを特定するためのＳＧＳＮ  Ｎｕｍｂｅｒ（以下、「ＳＧＳＮ番号」と称する）又はｅＮｏｄｅＢを特定するための基地局番号及びセル識別子（セルＩＤ）等が含まれる。
【００２９】
ところで、ＨＳＳ１１は、移動端末装置が例えば在圏セルを移動した際に実行する登録要求に基づいて、当該移動端末装置の端末識別子と当該在圏セルのセル識別子とを対応付けて記憶している。当該登録要求に含まれる端末識別子やセル識別子は、通信の確立や切断などを行うための制御信号の伝送路である制御プレーン（Ｃ−Ｐｌａｎｅ）を通して送信されるため、これらの識別子は正規の値となる。したがって、ＨＳＳ１１における端末識別子とセル識別子との対応関係は、当該端末識別子の移動端末装置と、当該移動端末装置が在圏する在圏セルとの対応関係と一致する。一方、ユーザプレーンで送信するデータは変更することができる。このため、移動端末装置が正規の端末識別子を含む測位要求を実行した場合には、加入者情報取得部５ａは、当該移動端末装置が現に在圏している在圏セルを収容する基地局の上位に位置しているｘＧＳＮのＳＧＳＮ番号を取得できる。これに対し、移動端末装置が正規の識別子とは異なる端末識別子を含む測位要求を実行した場合には、加入者情報取得部５ａは、当該移動端末装置が現に在圏している在圏セルを収容する基地局の上位に位置しているｘＧＳＮのＳＧＳＮ番号を取得できない場合がある。
【００３０】
セル情報取得部５ｂは、当該測位要求に含まれる当該端末識別子と同一の端末識別子の移動端末装置が在圏する在圏セルのセル情報を中継装置から取得するようになっている。本実施の形態では、当該セル情報には、セル識別子が含まれる。また、本実施の形態では、ｘＧＳＮ１３、ＲＮＣ１５及びＭＭＥ１９、ｅＮｏｄｅＢ２１（図１参照）が当該中継装置に相当する。セル情報取得部５ｂは、加入者情報取得部５ａが取得した加入者情報に含まれるＳＧＳＮ番号の基地局情報と、測位要求に含まれる端末識別子とに基づいて、ＲＮＣ１５及びｅＮｏｄｅＢ２１のいずれか一方からセル情報を取得する。
【００３１】
移動端末装置が正規の端末識別子と、現に在圏している在圏セルのセル識別子とを含む測位要求をしている場合には、加入者情報取得部５ａが取得する加入者情報に含まれるＳＧＳＮ番号は、当該移動端末装置が現に在圏している在圏セルを収容する基地局の上位に位置するｘＧＳＮのＳＧＳＮ番号と一致する。このため、セル情報取得部５ｂは、当該移動端末装置が現に在圏している在圏セルを収容する基地局の上位であって当該ｘＧＳＮの下位に位置するＲＮＣから当該在圏セルのセル識別子を取得できる。ＲＮＣ１５は、ＢＴＳ１７が収容する在圏セルのセル識別子と、ＢＴＳ１７が収容する在圏セル（３Ｇ在圏エリアＥ１）に現に在圏している移動端末装置の端末識別子とを対応付けて記憶している。これにより、セル情報に含まれるセル識別子は、測位要求に含まれるセル識別子と一致する。
【００３２】
これに対し、移動端末装置が正規の端末識別子とは異なる端末識別子と、現に在圏している在圏セルのセル識別子又は当該セル識別子とは異なるセル識別子とを含む測位要求をしている場合には、加入者情報取得部５ａが取得する加入者情報に含まれるＳＧＳＮ番号は、当該移動端末装置が現に在圏している在圏セルを収容する基地局の上位に位置するｘＧＳＮのＳＧＳＮ番号と一致しない場合がある。両ＳＧＳＮ番号が一致しない場合には、セル情報取得部５ｂは、当該移動端末装置が現に在圏している在圏セルを収容する基地局の上位であって当該ｘＧＳＮの下位に位置するＲＮＣから当該在圏セルのセル識別子を取得できない。これにより、セル情報に含まれるセル識別子は、測位要求に含まれるセル識別子と一致しない。
【００３３】
情報差分判定部５ｃは、セル情報取得部５ｂが取得したセル情報と、測位要求に含まれるセル識別子に基づくセル情報との差分が閾値を越えているか否かを判定するようになっている。本実施の形態における測位要求に含まれるセル識別子に基づくセル情報には、測位要求に含まれるセル識別子自体が含まれるようになっている。本実施の形態における情報差分判定部５ｃは、セル情報取得部５ｂが取得して在圏セルのセル情報に含まれるセル識別子と、当該セル識別子自体とが同一か否かを判定するようになっている。情報差分判定部５ｃは、両セル識別子が同一である場合には、セル情報取得部５ｂが取得したセル情報と、測位要求に含まれるセル識別子に基づくセル情報との差分が閾値を越えていないと判定し、両識別子が同一でない場合には、セル情報取得部５ｂが取得したセル情報と、測位要求に含まれるセル識別子に基づくセル情報との差分が閾値を越えていると判定する。このように、本実施の形態では、２つのセル識別子を比較するという簡単な方法で基地局の緯度経度情報が漏洩するのを防止できる。
【００３４】
移動端末装置が正規の端末識別子と、現に在圏している在圏セルのセル識別子とを含む測位要求をしている場合には、セル情報に含まれるセル識別子は、測位要求に含まれるセル識別子と一致するので、情報差分判定部は、両セル識別子が同一であって閾値を越えていないと判定する。一方、移動端末装置が正規の端末識別子とは異なる端末識別子と、現に在圏している在圏セルのセル識別子又は当該セル識別子とは異なるセル識別子とを含む測位要求をしている場合には、セル情報に含まれるセル識別子は、測位要求に含まれるセル識別子と一致しない場合がある。この場合、情報差分判定部は、両セル識別子が同一ではなく閾値を越えていると判定する。
【００３５】
ＳＬＰ７は、測位要求取得部７ａと、緯度経度取得部７ｂと、位置情報送信部７ｃとを有している。測位要求取得部７ａ、緯度経度取得部７ｂ及び位置情報送信部７ｃは、物理的に別の装置としてそれぞれ実現されていてもよいし、ＳＬＰ７の一機能としてそれぞれ実現されていてもよい。
測位要求取得部７ａは、移動端末装置からユーザプレーンで送信され、当該移動端末装置の端末識別子及びセル識別子を含む測位要求を取得するようになっている。また、測位要求取得部７ａは、ＨＳＳ１１からの加入者情報の取得を加入者情報取得部５ａに促すために、ＧＭＬＣ５に対して加入者情報取得要求を実行するようになっている。
【００３６】
緯度経度取得部７ｂは、セル情報取得部５ｂが取得したセル情報と、測位要求に含まれるセル識別子に基づくセル情報との差分が閾値を越えていないと情報差分判定部５ｃが判定して測位要求の認証に成功すると、一致したセル識別子やＨＳＳ１１から取得した加入者情報に含まれる国コード等に対応付けられた緯度経度情報を基地局情報ＤＢ装置９から取得するようになっている。
【００３７】
位置情報送信部７ｃは、測位要求を実行した移動端末装置に対し、情報差分判定部５ｃが、当該差分が閾値を越えていると判定した場合、測位に用いるアシストデータを送信せず、情報差分判定部５ｃが、当該差分が当該閾値を越えていないと判定した場合、当該アシストデータを送信するようになっている。位置情報送信部７ｃは、閾値を越えていないことを示す情報を含む情報差分判定信号がＧＭＬＣ５から送信されると、測位要求を実行した移動端末装置に対してアシストデータを送信し、閾値を越えていることを示す情報を含む情報差分判定信号がＧＭＬＣ５から送信されると、アシストデータではなく測位要求認証に失敗したことを示す情報を含むデータを送信する。位置情報送信部７ｃは、緯度経度取得部７ｂが基地局情報ＤＢ装置９から取得した緯度経度情報をアシストデータとして移動端末装置に送信する。
【００３８】
測位要求に含まれる端末識別子と同一の端末識別子に対応付けられた加入者情報がＨＳＳ１１に記憶されていない場合には、位置情報送信部７ｃは、当該測位要求を実行した移動端末装置に対してアシストデータを送信しないように構成されている。ＨＳＳ１１は、加入者情報取得部５ａからの加入者情報取得要求に含まれた端末識別子と同一の端末識別子を記憶していないと判定した場合、端末識別子を記憶していないことを示す応答信号を加入者情報取得部５ａに送信する。当該応答信号を受信したＧＭＬＣ５は、ＳＬＰ７に対して当該応答信号を転送する。当該応答信号を受信したＳＬＰ７は、位置情報送信部７ｃを介して、測位要求を実行した移動端末装置に対してアシストデータではなく測位要求認証に失敗したことを示す情報を含むデータを送信する。
【００３９】
図３は、基地局情報ＤＢ装置９に記憶されたデータベースの一例を示している。図３に示すように、当該データベースは、「国コード」、「事業者コード」、「セルＩＤ」、「緯度」、「経度」、「誤差半径」、「高度」及び「高度誤差」の８個の項目の情報を有している。「国コード」は基地局が存在している国のコードを示し、「事業者コード」は基地局を管理・運営している通信事業者のコードを示し、「セルＩＤ」は基地局が収容している在圏セルのＩＤ（セル識別子）を示し、「緯度」は基地局の位置する緯度を示し、「経度」は基地局の位置する経度を示し、「誤差半径」は「緯度」及び「経度」を中心とし基地局が位置すると想定される領域の半径を示し、「高度」は基地局の位置する高度を示し、「高度誤差」は「高度」を中心として基地局が位置すると想定される高さ方向の範囲を示している。当該データベースの２列目に示すように、「国コード」が「４４０」、「事業者コード」が「１０１」、「セルＩＤ」が「６１５」に対応する基地局は、「緯度」が「５４．×××°」（「×××」印は伏字を表している。以下、同じ）であり、「経度」が「８２．×××°」であり、「誤差半径」が「６０」であり、「高度」が「３２０ｍ」であり、「高度誤差」が「５ｍ」である。なお、「誤差半径」の数値は所定の変換式により求められたＫ値である。当該データベースの２列目及び３列目に示すように、「セルＩＤ」の値が同一であっても「国コード」の値が異なる場合がある。また、図示は省略するが、「セルＩＤ」の値が同一であっても「事業者コード」の値が異なる場合がある。このため、情報差分判定部５ｃは、セル識別子（セルＩＤ）だけでなく、国コード及び事業者コードの差分も判定するようになっている（詳細は後述）。なお、図３に示すデータベースは一例であって、基地局情報ＤＢ装置９に保持されるデータベースは、これらの項目に対応付けられた他の項目を有していてもよい。
【００４０】
（位置情報管理装置の通信方法）
次に、本実施の形態による位置情報管理装置及びそれを備えた通信システムの通信方法について図１及び図２を参照しつつ図４から図８を用いて説明する。本実施の形態による位置情報管理装置及びそれを備えた通信システムの通信方法を説明する前に、従来の通信システムにおける問題点について図４から図６を用いて説明する。
図４は、事業者側ネットワーク（ホームＮＷ）に認証サーバとしてＲＡＤＩＵＳ（Ｒｅｍｏｔｅ  Ａｕｔｈｅｎｔｉｃａｔｉｏｎ  Ｄｉａｌ  Ｉｎ  Ｕｓｅｒ  Ｓｅｒｖｉｃｅ  ）サーバ１３１を備えた従来の通信システム１００の概略構成を示している。図４に示すように、通信システム１００は、ＲＡＤＩＵＳサーバ１３１と、ＲＡＤＩＵＳサーバ１３１に接続され、ＲＡＤＩＵＳサーバ１３１との間で認証処理を実行するＧＭＬＣ１０５と、ＧＭＬＣ１０５に接続されたＳＬＰ１０７と、ＧＭＬＣに接続されたｘＧＳＮ１１３と、ｘＧＳＮ１３に接続されたＲＮＣ１１５と、移動端末装置１２３とを有している。ｘＧＳＮ１１３及びＲＮＣ１１５は、本実施の形態による通信システム１に設けられたｘＧＳＮ１３及びＲＮＣ１５と同一の構成を有し、同一の機能を発揮するようになっているので、詳細な説明は省略する。また、ＧＭＬＣ１０５は、加入者情報取得部５ａ、セル情報取得部５ｂ及び情報差分判定部５ｃを有していない点を除いて、ＧＭＬＣ５とまた、ＳＬＰ１０７は、位置情報送信部７ｃを有していない点を除いて、ＳＬＰ７と同一の構成を有し、同一の機能を発揮するようになっているので、詳細な説明は省略する。
【００４１】
ＲＡＤＩＵＳサーバ１３１は、移動端末装置１２３からのアクセス要求に対して、ＩＰアドレスを移動機アドレスとして払い出す機能を有している。このアクセス要求には、移動端末装置１２３において入力された端末識別子（例えば、ＭＳＩＳＤＮ）、ユーザＩＤ及びパスワード等が含まれている。ＲＡＤＩＵＳサーバ１３１は、端末識別子やパスワードに基づいて移動端末装置の検証を行い、検証結果に応じた応答信号（アクセス許可信号（例えば、ＩＰアドレス）又はアクセス許否信号）を返信する。ＲＡＤＩＵＳサーバ１３１は、移動端末装置１２３の端末識別子と移動端末装置１２３に送信したＩＰアドレスとを対応付けて記憶する。移動端末装置１２３からのアクセス要求及び応答は、制御プレーンで送信されるため、アクセス要求に含まれる端末識別子や応答信号に含まれるＩＰアドレスは正規の値となる。このため、ＲＡＤＩＵＳサーバ１３１には、移動端末装置１２３の正規の端末識別子と移動端末装置１２３に設定された正規のＩＰアドレスとが記憶される。
【００４２】
例えばＳＬＰ１０７は、移動端末装置１２３からのＳＵＰＬ測位要求を受信すると、ＧＭＬＣ１０５に対して測位要求の認証要求を実行する。ＳＬＰ１０７は、認証要求の際に移動端末装置１２３から送信され、ＳＵＰＬ測位要求に含まれてユーザプレーンで送信された端末識別子と、制御プレーンで送信された移動端末装置１２３のＩＰアドレスとをＧＭＬＣ１０５に送信する。ＧＭＬＣ１０５は、当該ＩＰアドレスを含む認証要求をＲＡＤＩＵＳサーバ１３１に対して実行する。ＲＡＤＩＵＳサーバ１３１は、当該ＩＰアドレスに対応付けられた端末識別子を含む認証応答をＧＭＬＣ１０５に対して実行する。ＧＭＬＣ１０５は、ＲＡＤＩＵＳサーバ１３１から送信された端末識別子と、ＳＬＰ１０７から送信された端末識別子との間に差分があるか否かを判定する。
【００４３】
ところで、ユーザプレーンで送信するデータは、制御プレーンで送信するデータと異なり、移動端末装置等の使用者がデータを書き換えることにより変更することができる。また、ＳＵＰＬ測位要求に含まれる端末識別子はユーザプレーンで送信される。このため、移動端末装置の使用者は、ＳＵＰＬ測位要求に含まれる端末識別子を変更できる。例えば移動端末装置１２３からのＳＵＰＬ測位要求に、正規の端末識別子とは異なる端末識別子が含められていたとする。移動端末装置１２３は、正規の端末識別子とは異なる端末識別子を含むＳＵＰＬ測位要求を実行するとともに、正規のＩＰアドレスをＳＬＰ１０７に送信する。ＲＡＤＩＵＳサーバ１３１は、正規の端末識別子と正規のＩＰアドレスとを対応付けて記憶しているため、正規のＩＰアドレスを含む認証要求を取得すると、正規の端末識別子をＧＭＬＣ１０５に送信する。ＳＬＰ１０７から送信された端末識別子とＲＡＤＩＵＳサーバ１３１から送信された端末識別子とは異なっているので、ＧＭＬＣ１０５は、両端末識別子に差分があると判定し、ＳＵＰＬ測位要求の認証に失敗したことを示す応答信号をＳＬＰ１０７に出力する。このように、ＲＡＤＩＵＳサーバ１３１を備えた通信システム１００は、移動端末装置から正規の端末識別子とは異なる端末識別子を含むＳＵＰＬ測位要求が実行されても、図４に×印で示すように、ＧＭＬＣ１０５からｘＧＳＮ１１３に対して不図示の基地局の位置情報の取得要求の実行を防止できる。これにより、通信システム１００は、正規の端末識別子とは異なる端末識別子を含むＳＵＰＬ測位要求した移動端末装置１２３に対して基地局の位置情報が漏洩してしまうのを防止できる。
【００４４】
図５は、従来の他の通信システムであって通信システム２００の概略構成を示している。通信システム２００は、企業直収ユーザなどのＲＡＤＩＵＳサーバ１３１が企業側ＮＷに備えられている点を除いて、通信システム１００と同様の構成を有している。ＲＡＤＩＵＳサーバ１３１は、移動端末装置１２３からのアクセス要求に対してＩＰアドレスを払い出して記憶する点においては、通信システム１００と同様である。通信システム２００は、ＲＡＤＩＵＳサーバ１３１を有していないため、当該アクセス要求処理の完了後に移動端末装置１２３の正規の端末識別子と正規のＩＰアドレスとを対応付けた情報を記憶していない。このため、通信システム２００は、移動端末装置１２３からのＳＵＰＬ測位要求に対する認証処理を実行するためには、ＲＡＤＩＵＳサーバ１３１を備えた企業側ＮＷに正規の端末識別子の送信を要求しなければならない。しかしながら、ＳＵＰＬ測位要求を受信するたびに企業側ＮＷに端末識別子の送信要求を実行することは、企業側ＮＷへの影響や負荷を考慮すると現実的ではない。
【００４５】
そこで、通信システム２００では、ＳＵＰＬ測位要求に含まれるセル識別子（セルＩＤ）に基づき、基地局の位置情報を保持する基地局情報ＤＢ装置１０９を参照して緯度経度を算出し、算出した緯度経度情報を移動端末装置１２３に送信するようになっている。図５に示すように、基地局情報ＤＢ装置１０９は、セルＩＤと緯度及び経度とを対応付けたデータベース１０９ａを有している。このため、通信システム２００は、ＳＵＰＬ測位要求に含まれるセル識別子に基づいて不図示の基地局の緯度経度を算出することができる。
【００４６】
図６は、通信システム２００がセル識別子に基づいてＳＵＰＬ測位要求に応答する場合の問題点を説明する図である。ＳＵＰＬ測位要求に含まれるセル識別子は、端末識別子と同様に、ユーザプレーンを通って送信されるため、移動端末装置１２３の使用者端末識別子を間違って設定したり意図的に変更したりして、移動端末装置１２３が在圏している在圏セルの正規のセル識別子とは異なる場合がある。図６に示すように、移動端末装置１２３から端末識別子とセル識別子との組み合わせを異ならせたＳＵＰＬ測位要求が繰り返し実行される場合がある。なお、図６では、異なる端末識別子はＭＳＩＳＤＮα、β、γで表され、異なるセル識別子はセルＩＤ２、３、４で表されている。通信システム２００は、ＳＵＰＬ測位要求に含まれる端末識別子が正規の端末識別子であるか否かを判定できないので、ＳＵＰＬ測位要求が同一の移動端末装置からの連続測位要求であるか否かを判断できない。通信システム２００は、同一の移動端末装置が短時間でＳＵＰＬ測位要求を実行した場合の防衛措置をとることができない。このため、通信システム２００は、ＳＵＰＬ測位要求に含まれる端末識別子やセル識別子が正規の識別子か否かに関わらず、ＳＵＰＬ測位要求を実行した移動端末装置に対し、当該要求に含まれるセル識別子に対応する基地局の位置情報を送信してしまう。これにより、通信システム２００は、通信システム２００を管理している通信事業者の保持する基地局の正確な緯度経度情報が漏洩してしまうという問題が生じる。例えば、ＭＳＩＳＤＮα及びセルＩＤ２を含むＳＵＰＬ測位要求により、基地局情報ＤＢ装置１０９に記憶されたデータベース１０９ａから項目「セルＩＤ」の「２」に対応付けられた、項目「緯度」の「３５．×××」及び項目「経度」の「１３９．×××」が漏洩し、ＭＳＩＳＤＮβ及びセルＩＤ３を含むＳＵＰＬ測位要求により、データベース１０９ａから項目「セルＩＤ」の「４」に対応付けられた、項目「緯度」の「３５．×××」及び項目「経度」の「１３９．×××」が漏洩し、ＭＳＩＳＤＮγ及びセルＩＤ４を含むＳＵＰＬ測位要求により、データベース１０９ａから項目「セルＩＤ」の「４」に対応付けられた、項目「緯度」の「３５．×××」及び項目「経度」の「１３９．×××」が漏洩してしまう。
【００４７】
本実施の形態による位置情報管理装置３及びそれを備えた通信システム１は、ＲＡＤＩＵＳサーバを備えていないものの、加入者情報取得部５ａ、セル情報取得部５ｂ、情報差分判定部５ｃ及び位置情報送信部７ｃを有することにより、ＳＵＰＬ測位要求に含まれた端末識別子が正規の識別子でない場合には、当該ＳＵＰＬ測位要求を実行した移動端末装置に対して基地局の位置情報であるアシストデータを送信するのを防止できるようになっている。
【００４８】
次に、本実施の形態による位置情報管理装置３及びそれを備えた通信システム１の通信方法について、図１及び図２を参照しつつ図７及び図８を用いて説明する。図７は、位置情報管理装置３及びそれを備えた通信システム１の動作を示すシーケンス図である。図７では、通信システム１の構成要素のうち、移動端末装置２３、ＲＮＣ１５、ｘＧＳＮ１３、ＳＬＰ７、基地局情報ＤＢ装置９、ＧＭＬＣ５及びＨＳＳ１１が示されている。図８は、位置情報管理装置３の測位要求認証処理の流れを示すフローチャートである。
【００４９】
図７に示すように、ＳＬＰ７は移動端末装置２３からＡ−ＧＮＳＳ（Ｇｌｏｂａｌ  Ｎａｖｉｇａｔｉｏｎ  Ｓａｔｅｌｌｉｔｅ  Ｓｙｓｔｅｍｓ）測位要求を受信する（ステップＳ１）。ＳＵＰＬ測位要求であるは、Ａ−ＧＮＳＳ測位要求の一例である。このＡ−ＧＮＳＳ測位要求には、ユーザプレーンで送信された、端末識別子としてのＭＳＩＳＤＮと、在圏セルのセル識別子であるセルＩＤと、国コードと、事業者コード（図７及び図８では、説明の便宜上、セルＩＤを「セルＩＤα」と称し、国コードを「国コードα」と称し、事業者コードを「事業者コードα」と称する）とが含まれている。
【００５０】
このように、位置情報管理装置３は、Ａ−ＧＮＳＳ測位要求を受信すると、測位要求認証処理を開始して、まず、ＭＳＩＳＤＮ、セルＩＤα、国コードα、事業者コードαを取得し、不図示の記憶部にこれらの情報を記憶する（図８に示すステップＳ５１参照）。
測位要求取得部７ａで当該測位要求を取得したＳＬＰ７は、ＧＭＬＣ５に対して加入者情報取得要求を実行する（ステップＳ２）。当該加入者情報取得要求には、移動端末装置２３から送信されたＭＳＩＳＤＮが含まれている。
【００５１】
次に、ＧＭＬＣ５は、当該加入者情報取得要求をＨＳＳ１１に転送する（ステップＳ３）。
次に、当該加入者情報取得要求を受信したＨＳＳ１１は、ＭＳＩＳＤＮに対応付けて記憶している加入者情報をデータベースから抽出し、当該加入者情報を含む加入者情報取得応答をＧＭＬＣ５の加入者情報取得部５ａに送信する（ステップＳ４）。ＧＭＬＣ５に送信される加入者情報には、国コード、事業者コード（図７及び図８では、説明の便宜上、国コードを「国コードβ」と称し、事業者コードを「事業者コードβ」と称する）及びＳＧＳＮ番号が含まれている。一方、ＨＳＳ１１は、当該データベースにＭＳＩＳＤＮと同一の端末識別子を記憶していない場合には、ＭＳＩＳＤＮを記憶していないことを示す応答信号をＧＭＬＣ５の加入者情報取得部５ａに送信する。
このように、加入者情報取得部５ａで加入者情報取得応答を受信することにより、位置情報管理装置３は、ＧＭＬＣ５を介して、加入者情報としてＳＧＳＮ番号、国コードβ及び事業者コードβを取得する（図８に示すステップＳ５２）。
【００５２】
加入者情報取得応答を受信したＧＭＬＣ５は、加入者情報に含まれたＳＧＳＮ番号のｘＧＳＮに対してセルＩＤ取得要求を実行する。本例では、ｘＧＳＮ１３のＳＧＳＮ番号が加入者情報に含まれていたものとする。したがって、ＧＭＬＣ５は、ｘＧＳＮ１３に対してセルＩＤ取得要求を実行する（ステップＳ５）。
セルＩＤ取得要求を取得したｘＧＳＮ１３は、下位に位置するＲＮＣ１５に当該セルＩＤ取得要求を転送する（ステップＳ６）。
【００５３】
ＲＮＣ１５は、下位に位置する基地局が収容する在圏セルのセル識別子に対応付けて、現時点で当該在圏セルに在圏している移動端末装置の端末識別子を記憶している。このため、ＲＮＣ１５は、ＭＳＩＳＤＮと同一の端末識別子の移動端末装置が在圏している在圏セルのセル識別子を記憶している場合には、当該移動端末装置が在圏している在圏セルのセル識別子を在圏セルのセル情報として取得する。本例では、ＲＮＣ１５は、ＭＳＩＳＤＮと同一の端末識別子の移動端末装置が在圏している在圏セルのセル識別子（図７及び図８では、説明の便宜上「セルＩＤβ」と称する）を含むセル情報を取得し（ステップＳ７）、ｘＧＳＮ１３に対してセルＩＤ応答を実行する（ステップＳ８）。当該セルＩＤ応答には、取得されたセルＩＤβが含まれている。ｘＧＳＮ１３は、当該セルＩＤ応答をＧＭＬＣ５に転送する（ステップＳ９）。ＧＭＬＣ５は当該セルＩＤ応答をセル情報取得部５ｂで取得する。
このように、ＳＬＰ７が加入者情報に含まれたＳＧＳＮ番号を元に、当該ＳＧＳＮ番号のｘＧＳＮ（本例では、Ａ−ＧＮＳＳ測位要求に含まれた端末識別子（本例では、ＭＳＩＳＤＮ）を含むセルＩＤ取得要求を実行し、中継装置（本例では、ＲＮＣ１５）からセル識別子（本例では、セルＩＤβ）のセル情報を取得する（図８に示すステップＳ５３）。
【００５４】
セルＩＤβを含むセル情報を取得したＧＭＬＣ５は、測位要求に含まれた国コードα、事業者コードα及びセルＩＤαと、ＨＳＳ１１から取得した加入者情報に含まれた国コードβ、事業者コードβ及びＲＮＣ１５から取得したセルＩＤβとを情報差分判定部５ｃに送信する。情報差分判定部５ｃは、国コードαと国コードβとの差分と、事業者コードαと事業者コードとの差分と、セルＩＤα（測位要求に含まれるセル識別子に基づくセル情報に含まれる、測位要求に含まれるセル識別子自体の一例）とセルＩＤβ（在圏セルのセル情報に含まれるセル識別子の一例）との差分とがそれぞれ、予め設定された閾値を越えているか否かを判定する。本実施の形態では、情報差分判定部５ｃは、比較対象の各コード同士が一致するか否かを判定し、一致している場合には閾値を越えていないと判断し、一致していない場合には閾値を越えていると判断する（図７に示すステップＳ１０及び図８に示すステップＳ５４）。
【００５５】
測位要求に含まれたＭＳＩＳＤＮが移動端末装置２３の正規の端末識別子であり、かつ測位要求に含まれたセルＩＤαが移動端末装置２３が現に在圏している在圏セルのセル識別子であれば、国コードαと国コードβとは一致し、事業者コードαと事業者コードβとは一致し、セルＩＤαとセルＩＤβとは一致して、全ての各コード同士は一致するので（ステップＳ５４のＹｅｓ）、ＧＭＬＣ５は測位要求の認証成功を示す信号をＳＬＰ７に送信する（図７に示すステップＳ１３）。
【００５６】
当該信号を受信したＳＬＰ７は、基地局情報ＤＢ装置９に対して緯度経度取得要求を実行する（ステップＳ１４）。当該緯度経度取得要求には、情報差分判定部５ｃにおいて一致すると判定された国コード、事業者コード及びセルＩＤが含まれる。
基地局情報ＤＢ装置９は、当該緯度経度取得要求に含まれた国コード、事業者コード及びセルＩＤに対応する基地局緯度経度情報をデータベースから抽出し、当該基地局緯度経度情報を含む緯度経度応答をＳＬＰ７に対して実行する（ステップＳ１５）。
【００５７】
当該緯度経度情報応答を取得したＳＬＰ７は、位置情報送信部７ｃを介して当該緯度経度情報をアシストデータとして移動端末装置２３に送信する（ステップＳ１６）。このように、ＳＬＰ７は、情報差分判定部５ｃにおいて一致すると判定されたセルＩＤに対応付けられたアシストデータ（基地局緯度経度情報）を基地局情報ＤＢ装置９から取得し、位置情報送信部７ｃを介して測位要求を実行した移動端末装置２３に当該アシストデータを送信する（図８に示すステップＳ５５）。位置情報管理装置３は、ステップＳ５５が終了すると測位要求認証処理を終了する。
図７に示すように、アシストデータを取得した移動端末装置２３は、Ａ−ＧＮＳＳ測位を実行する（ステップＳ１７）。
【００５８】
一方、測位要求に含まれたＭＳＩＳＤＮが移動端末装置２３の正規の端末識別子と異なっていると、少なくともセルＩＤαとセルＩＤβとは一致せず、全ての各コード同士が一致しないので（ステップＳ５４のＮｏ）、ＧＭＬＣ５は測位要求の認証失敗を示す信号をＳＬＰ７に送信する（図７に示すステップＳ１１）。
測位要求認証失敗を示す信号を受信したＳＬＰ７は、アシストデータを送信せずに測位要求認証失敗を示す情報のデータを位置情報送信部７ｃ介して移動端末装置２３に転送する（図７に示すステップＳ１２、図８に示すステップＳ５６）。位置情報管理装置３は、ステップＳ５６が終了すると測位要求認証処理を終了する。
【００５９】
以上説明したように、本実施の形態による位置情報管理装置３、それを備えた通信システム１、位置情報管理装置３の通信方法及び通信システム１の通信方法によれば、現に在圏しているはずの在圏セルを示す情報とは異なる在圏セルを示す情報を含む測位要求を実行した移動端末装置に対して基地局の緯度経度情報が漏洩するのを防止できる。また、本実施の形態によれば、正規の端末識別子とは異なる端末識別子を含む測位要求を実行した移動端末装置に対して基地局の緯度経度情報が漏洩するのを防止できる。また、自己のネットワークにＲＡＤＩＵＳサーバを有していないためにＭＳＩＳＤＮ認証を実行できない通信事業者であっても、測位要求認証を実行することができるので、基地局の緯度経度情報が漏洩するのを防止できる。
【００６０】
〔第２の実施の形態〕
（位置情報管理装置の概略構成）
次に、本発明の第２の実施の形態による位置情報管理装置、それを備えた通信システム及び位置情報管理装置の通信方法について図９から図１２を用いて説明する。なお、上記第１の実施の形態による位置情報管理装置３及びそれを備えた通信システム１と同一の機能及び作用を奏する構成要素には、同一の符号を付してその説明は省略する。本実施の形態による通信システムは、位置情報管理装置の構成が異なる点を除いて、上記第１の実施の形態による通信システム１と同様の構成を有し、同様の機能を発揮するので、詳細な説明は省略する。
【００６１】
まず、本実施の形態による位置情報管理装置５３の概略構成について図９を用いて説明する。図９は、位置情報管理装置５３の概略構成を示すブロック図である。図９では、理解を容易にするため、位置情報管理装置３に接続されたＨＳＳ１１、ｘＧＳＮ１３、ＲＮＣ１５及び移動端末装置２３が併せて示され、本来接続されているＭＭＥ１９及びｅＮｏｄｅＢ２１の図示は省略されている。
【００６２】
図９に示すように、本実施の形態による位置情報管理装置５３は、ＧＭＬＣ５５と、ＳＬＰ５７と、基地局情報ＤＢ装置９とを有している。ＧＭＬＣ５５は、加入者情報取得部５ａと、セル情報取得部５ｂとを有している。加入者情報取得部５ａ及びセル情報取得部５ｂは、物理的に別の装置としてそれぞれ実現されていてもよいし、ＧＭＬＣ５５の一機能としてそれぞれ実現されていてもよい。ＳＬＰ５７は、測位要求取得部７ａと、緯度経度取得部７ｂと、位置情報送信部７ｃと、情報差分判定部５７ａとを有している。測位要求取得部７ａ、緯度経度取得部７ｂ、位置情報送信部７ｃ及び情報差分判定部５７ａは、物理的に別の装置としてそれぞれ実現されていてもよいし、ＳＬＰ５７の一機能としてそれぞれ実現されていてもよい。
【００６３】
情報差分判定部５７ａは、ＧＭＬＣ５５ではなくＳＬＰ５７に備えられている点と、２つの緯度経度情報の差分が閾値を越えているか否かを判定する点とを除いて、上記第１の実施の形態における情報差分判定部５ｃと同一の構成を有し、同一の機能を発揮するようになっているので、詳細な説明は省略する。
【００６４】
次に、本実施の形態による位置情報管理装置５３及びそれを備えた通信システムの動作について図９を参照しつつ図１０及び図１１を用いて説明する。図１０は、位置情報管理装置５３及びそれを備えた通信システムの動作を示すシーケンス図である。図１０では、当該通信システムの構成要素のうち、移動端末装置２３、ＲＮＣ１５、ｘＧＳＮ１３、ＳＬＰ５７、基地局情報ＤＢ装置９、ＧＭＬＣ５５及びＨＳＳ１１が示されている。図１１は、位置情報管理装置３の測位要求認証処理の流れを示すフローチャートである。
【００６５】
本実施の形態による位置情報管理装置５３及びそれを備えた通信システムの図１０に示すステップＳ１０１からステップＳ１０４までの動作は、上記第１の実施の形態による位置情報管理装置３及びそれを備えた通信システム１の図７に示すステップＳ１からステップＳ４までの動作と同一であるため、説明は省略する。また、本実施の形態による位置情報管理装置５３の測位要求認証処理の図１１に示すステップＳ１５１及びＳ１５２の処理は、上記第１の実施の形態による位置情報管理装置３の測位要求認証処理の図８に示すステップＳ１０１及びＳ１０２の処理と同一であるため、説明は省略する。
【００６６】
図１０に示すように、加入者情報取得応答を取得したＧＭＬＣ５５は、当該加入者情報取得応答に含まれたＳＧＳＮ番号のｘＧＳＮにＭＳＩＳＤＮを含む基地局測位要求を送信する（ステップＳ１０５）。本例では、ＧＭＬＣ５５はｘＧＳＮ１３のＳＧＳＮ番号を受信したものとする。
当該基地局測位要求を取得したｘＧＳＮ１３は、下位に位置するＲＮＣ１５に基地局測位要求を転送する（ステップＳ１０６）。
【００６７】
ＲＮＣ１５は、下位に位置する基地局が収容する在圏セルのセル識別子に対応付けて、現時点で当該在圏セルに在圏している移動端末装置の端末識別子及び当該在圏セルを収容している基地局の緯度経度情報を記憶している。このため、ＲＮＣ１５は、ＭＳＩＳＤＮと同一の端末識別子の移動端末装置が在圏している在圏セルのセル識別子を記憶している場合には、当該移動端末装置が在圏している在圏セルを収容する基地局の緯度経度情報を在圏セルのセル情報として取得する。一方、ＲＮＣ１５は、当該移動端末装置が在圏している在圏セルのセル識別子を記憶していない場合には、当該移動端末装置が在圏している在圏セルのセル識別子を記憶していないことを示す情報を在圏セルのセル情報として取得する。本例では、ＲＮＣ１５は、ＭＳＩＳＤＮと同一の端末識別子の移動端末装置が在圏している在圏セルを収容する基地局の緯度経度情報（図１０及び図１１では、説明の便宜上、緯度経度を「緯度経度Ｘ」と称し、誤差半径を「誤差半径Ｙ」と称する）を取得し（ステップＳ１０７）、ｘＧＳＮ１３に対して基地局測位応答を実行する（ステップＳ１０８）。取得された緯度経度Ｘ及び誤差半径Ｙは、在圏セルのセル情報に含まれる。当該基地局測位応答には、取得された緯度経度Ｘ及び誤差半径Ｙが含まれている。ｘＧＳＮ１３は、当該基地局測位応答をＧＭＬＣ５５に転送する（ステップＳ１０９）。ＧＭＬＣ５５は当該基地局測位応答をセル情報取得部５ｂで取得する。
【００６８】
このように、ＳＬＰ５７が加入者情報に含まれたＳＧＳＮ番号を元に、当該ＳＧＳＮ番号のｘＧＳＮ（本例では、移動端末装置２３からの測位要求に含まれた端末識別子（本例では、ＭＳＩＳＤＮ）を含む基地局測位要求を実行し、中継装置（本例では、ＲＮＣ１５）から緯度経度情報（本例では、緯度経度Ｘ及び誤差半径Ｙ）のセル情報を取得する（図１１に示すステップＳ１５３）。
【００６９】
基地局測位応答を取得したＧＭＬＣ５５は、当該基地局測位応答をＳＬＰ５７に転送する。Ａ−ＧＮＳＳ測位要求に含まれたＭＳＩＳＤＮは正規の端末識別子と異なっている可能性があるため、ＳＬＰ５７は当該ＭＳＩＳＤＮに基づいて取得された緯度経度情報をアシストデータとして移動端末装置２３に送信することができない。このため、位置情報管理装置５３は、Ａ−ＧＮＳＳ要求に含まれたＭＳＩＳＤＮが移動端末装置２３の正規の端末識別子であるか否かを判定するために用いる緯度経度情報を取得するために、基地局情報ＤＢ装置９に対して緯度経度取得要求を実行する（ステップＳ１１１）。当該緯度経度取得要求には、Ａ−ＧＮＳＳ測位要求に含まれた国コードα、事業者コードα及びセルＩＤαが含まれる。
【００７０】
基地局情報ＤＢ装置９は、当該緯度経度取得要求に含まれた国コードα、事業者コードα及びセルＩＤαに対応する基地局緯度経度情報（図１０及び図１１では、説明の便宜上、緯度経度を「緯度経度Ｘ’」と称し、誤差半径を「誤差半径Ｙ’」と称する）をデータベースから抽出し、当該基地局緯度経度情報を含む緯度経度応答をＳＬＰ５７に対して実行する（ステップＳ１１２）。緯度経度Ｘ’及び誤差半径Ｙ’は測位要求に含まれるセル識別子に基づくセル情報に含まれる。
【００７１】
緯度経度Ｘ’及び誤差半径Ｙ’を含む緯度経度応答を取得したＳＬＰ５７は、ＲＮＣ１５から取得された緯度経度Ｘ（在圏セルのセル情報に含まれる、中継装置に記憶された、在圏セルを収容する基地局の緯度経度情報の一例）と、基地局情報ＤＢ装置９から取得された緯度経度Ｘ’（測位要求に含まれるセル識別子に基づくセル情報に含まれ、基地局情報記憶部に記憶された緯度経度情報の一例）との差分が予め設定された閾値を超えているか否かを判定する（ステップＳ１１３）。本実施の形態では、当該閾値は、例えば在圏セルが占める領域の半径に設定され、例えば５ｋｍに設定されている。情報差分判定部５７ａは、緯度経度Ｘから緯度経度Ｘ’を減算した値の絶対値が当該閾値以下である場合には閾値を越えていないと判断し、当該絶対値が閾値より長い場合には閾値を越えていると判断する（図１０に示すステップＳ１１３及び図１１に示すステップＳ１５５）。
【００７２】
Ａ−ＧＮＳＳ測位要求に含まれたＭＳＩＳＤＮが移動端末装置２３の正規の端末識別子であり、かつ測位要求に含まれたセルＩＤαが、移動端末装置２３が現に在圏している在圏セルのセル識別子であれば、緯度経度Ｘと緯度経度Ｘ’とはほぼ一致するので、緯度経度Ｘから緯度経度Ｘ’を減算した値の絶対値は閾値以下となる。これにより、ＳＬＰ５７は、位置情報送信部７ｃを介して当該緯度経度Ｘ’及び誤差半径Ｙ’をアシストデータとして移動端末装置２３に送信する（ステップＳ１１５及び図１１に示すステップＳ１５６）。このように、ＳＬＰ５７は、基地局情報ＤＢ装置９から抽出した緯度経度Ｘ’及び誤差半径Ｙ’をアシストデータとするようになっている。位置情報管理装置５３は、ステップＳ１５６が終了すると測位要求認証処理を終了する。
図１０に示すように、アシストデータを取得した移動端末装置２３は、Ａ−ＧＮＳＳ測位を実行する（ステップＳ１１６）。
【００７３】
一方、測位要求に含まれたＭＳＩＳＤＮが移動端末装置２３の正規の端末識別子と異なっていると、緯度経度Ｘと緯度経度Ｘ’とは全く異なる値となる場合がある。この場合には、緯度経度Ｘから緯度経度Ｘ’を減算した値の絶対値は閾値より長くなるので（図１１に示すステップＳ１５５の「Ｎｏ」の場合）、ＳＬＰ５７は、Ａ−ＧＮＳＳ測位要求を実行した移動端末装置２３にアシストデータを送信せずに、測位要求の認証失敗を示す情報のデータを移動端末装置２３に送信する（図１０に示すステップＳ１１４及び図１１に示すステップＳ１５７）。位置情報管理装置５３は、ステップＳ１５７が終了すると測位要求認証処理を終了する。このように、本実施の形態では、２つの緯度経度情報を比較するという簡単な方法で基地局の緯度経度情報が漏洩するのを防止できる。
【００７４】
以上説明したように、本実施の形態による位置情報管理装置５３、それを備えた通信システム、位置情報管理装置５３の通信方法及び通信システムの通信方法によれば、現に在圏しているはずの在圏セルを示す情報とは異なる在圏セルを示す情報を含む測位要求を実行した移動端末装置に対して基地局の緯度経度情報が漏洩するのを防止できる。また、本実施の形態によれば、正規の端末識別子とは異なる端末識別子を含む測位要求を実行した移動端末装置に対して基地局の緯度経度情報が漏洩するのを防止できる。また、自己のネットワークにＲＡＤＩＵＳサーバを有していないためにＭＳＩＳＤＮ認証を実行できない通信事業者であっても、測位要求認証を実行することができるので、基地局の緯度経度情報が漏洩するのを防止できる。
【００７５】
（変形例）
次に、本実施の形態の変形例による位置情報管理装置及びそれを備えた通信システムについて図１２を用いて説明する。本変形例による位置情報管理装置及びそれを備えた通信システムは、本実施の形態による位置情報管理装置５３及びそれを備えた通信システムと比較して、情報差分判定部での判定方法が異なる点を除いて、同一の構成を有し、同一の機能を発揮するので、当該異なる点のみを簡述する。図１２は、本変形例による位置情報管理装置の測位要求認証処理の流れを示すフローチャートである。
【００７６】
図１２に示すように、本変形例による位置情報管理装置の測位要求認証処理におけるステップＳ２０１〜Ｓ２０４、Ｓ２０６及びＳ２０７での処理は、位置情報管理装置５３の測位要求認証処理におけるステップＳ１５１〜Ｓ１５４、Ｓ１５６及びＳ１５７での処理と同一である（図１１参照）。本変形例による位置情報管理装置は、測位要求を実行した移動端末装置が移動中であったり、測位要求を実行した直後に移動端末装置の在圏セルが変化したりしても、移動端末装置の移動距離が設定範囲内であればアシストデータを送信できるようになっている。本変形例では、当該設定範囲には、基地局の位置情報に含まれる誤差半径が用いられる。また、当該設定値は、情報差分判定部が差分判定に用いる閾値となる。
【００７７】
本変形例による位置情報管理装置の情報差分判定部は、ＲＮＣ１５において取得された緯度経度Ｘから基地局情報ＤＢ装置９から取得された緯度経度Ｘ’を減算した値の絶対値と比較する閾値として、ＲＮＣ１５において取得された誤差半径Ｙと基地局情報ＤＢ装置９から取得された誤差半径Ｙ’とを加算した加算値を用いるようになっている（ステップＳ２０５）。情報差分判定部は、当該絶対値が当該加算値以下であって閾値を越えていないと判定すると（ステップＳ２０５のＹｅｓ）、測位要求を実行した移動端末装置にアシストデータとして緯度経度Ｘ’及び誤差半径Ｙ’を送信する。一方、情報差分判定部は、当該絶対値が当該加算値よりも大きく閾値を越えていると判定すると（ステップＳ２０５の「Ｎｏ」の場合）、測位要求を実行した移動端末装置にアシストデータを送信しない。
【００７８】
以上説明したように、本変形例による位置情報管理装置、それを備えた通信システム、位置情報管理装置の通信方法及び通信システムの通信方法によれば、本実施の形態による位置情報管理装置５３、それを備えた通信システム、位置情報管理装置５３の通信方法及び通信システムの通信方法と同様の効果が得られる。また、位置情報管理装置の通信方法及び通信システムの通信方法によれば、例えば移動端末装置が移動中であったり、測位要求直後に移動端末装置が在圏する在圏セルが変化したりしても、移動端末装置の移動距離が設定範囲内にある場合には、無線基地局の位置情報を移動端末装置に送信できる。また、本変形例による位置情報管理装置、それを備えた通信システム、位置情報管理装置の通信方法及び通信システムの通信方法は、情報差分判定部における閾値に算出又は取得された誤差半径を用いることができるので、当該閾値を予め設定する必要がなく、情報差分判定の実行時に閾値を設定できる。
【００７９】
本発明は、コンピュータプログラムとして具体化することができる。例えば、位置情報管理装置３、５３の各部の機能を通信用プログラムとして実現することもできる。したがって、本発明の一部または全ては、ハードウェアまたはソフトウェア（ファームウェア、常駐ソフトウェア、マイクロコード、ステートマシン、ゲートアレイ等を含む）に組み入れることができる。さらに、本発明は、コンピュータによって使用可能な、またはコンピュータ可読の記憶媒体上のコンピュータプログラム製品の形態をとることができ、この媒体には、コンピュータによって使用可能な、またはコンピュータ可読のプログラムコードが組み入れられる。本明細書のコンテキストでは、コンピュータによって使用可能な、またはコンピュータ可読の媒体は、命令実行システム、装置若しくはデバイスによって、またはそれらとともに使用されるプログラムを、収録する、記憶する、通信する、伝搬する、または搬送することのできる、任意の媒体とすることができる。
【００８０】
本発明は、上記実施の形態に限らず種々の変形が可能である。
上記第１及び第２の実施の形態では、在圏セルのセル情報をＲＮＣ１５から取得する例を用いて説明したが、加入者情報にｅＮｏｄｅＢの基地局番号が含まれている場合には、ＧＭＬＣは、ｅＮｏｄｅＢに対してセルＩＤ取得要求又は基地局測位要求を実行する。
また、上記第１及び第２の実施の形態による通信システムは、ＲＡＤＩＵＳサーバを備えていないが、上記第１及び第２の実施の形態による位置情報管理装置の通信方法は、ＲＡＤＩＵＳサーバを備えていない通信システムにも適用できる。
【００８１】
本発明の範囲は、図示され記載された例示的な実施形態に限定されるものではなく、本発明が目的とするものと均等な効果をもたらすすべての実施形態をも含む。さらに、本発明の範囲は、請求項により画される発明の特徴の組み合わせに限定されるものではなく、すべての開示されたそれぞれの特徴のうち特定の特徴のあらゆる所望する組み合わせによって画されうる。
【符号の説明】
【００８２】
１、１００、２００  通信システム
３、５３  位置情報管理装置
５、１０５  ＧＭＬＣ
５ａ  加入者情報取得部
５ｂ  セル情報取得部
５ｃ、５７ａ  情報差分判定部
７、１０７  ＳＬＰ
７ａ  測位要求取得部
７ｂ  緯度経度取得部
７ｃ  位置情報送信部
９、１０９  基地局情報ＤＢ装置
１１  ＨＳＳ
１３、１１３  ｘＧＳＮ
１５、１１５  ＲＮＣ
１７  ＢＴＳ
１９  ＭＭＥ
２１  ｅＮｏｄｅＢ
２３、１２３  移動端末装置
１０９ａ  データベース
１３１  ＲＡＤＩＵＳサーバ
Ｅ１  ３Ｇ在圏エリア
Ｅ２  ＬＴＥ在圏エリア
【図１】
2014086823.tif 000003
【図２】
2014086823.tif 000004
【図３】
2014086823.tif 000005
【図４】
2014086823.tif 000006
【図５】
2014086823.tif 000007
【図６】
2014086823.tif 000008
【図７】
2014086823.tif 000009
【図８】
2014086823.tif 000010
【図９】
2014086823.tif 000011
【図１０】
2014086823.tif 000012
【図１１】
2014086823.tif 000013
【図１２】
2014086823.tif 000014